(57)【要約】【課題】二重化切替時に発生する音声データの紛失を防止し、無瞬断切替を可能にする。【解決手段】ＡＣＴ切替をする遠隔ユニット２０Ａと通信中の遠隔ユニット２０Ｂは、本体ユニット１０からの接続先切替命令を受信すると、あらかじめ設定された切替保護時間内は、遠隔ユニット２０Ａの切替前のＡＣＴ遠隔ＩＰインターフェース２２Ａ＃０と切替後のＡＣＴ遠隔ＩＰインターフェース２２Ａ＃１の両ＩＰアドレスにＩＰパケットを並送し、上記切替保護時間を経過したら、２２Ａ＃１のＩＰアドレスにのみＩＰパケットを送信し、遠隔ユニット２０Ａは、本体ユニット１０からのＡＣＴ切替命令を受信すると、２２Ａ＃０の位相吸収メモリからの現読み出し音声データの情報を、２２Ａ＃１に転送し、その情報をもとに、２２Ａ＃１の位相吸収メモリメモリからの読み出し音声データの位相を２２Ａ＃０に同期させる。【選択図】        図１
2006100900.tif 000002
【特許請求の範囲】
【請求項１】
ＩＰインターフェースを二重化構成にしたＩＰ−ＰＢＸの第１の遠隔ユニットと、上記第１の遠隔ユニットの通信相手となるＩＰ−ＰＢＸの第２の遠隔ユニットと、上記第１および第２の遠隔ユニットを制御するＩＰ−ＰＢＸの本体ユニットとをＬＡＮで接続したＩＰ−ＰＢＸシステムの上記第１の遠隔ユニットの現用ＩＰインターフェースを切り替えるＩＰ−ＰＢＸシステムの二重化切替方式において、
上記本体ユニットは、上記第１の遠隔ユニットの二重化切替をするときに、上記第１の遠隔ユニットと通信中の上記第２の遠隔ユニットに接続先切替命令を送信し、
上記第２の遠隔ユニットは、上記接続先切替命令を受信すると、あらかじめ設定された切替保護時間内は、上記第１の遠隔ユニットの二重化切替前の現用ＩＰインターフェースである第１のＩＰインターフェースと二重化切替後に現用ＩＰインターフェースになる第２のＩＰインターフェースの両ＩＰアドレスにＩＰパケットを並送し、上記切替保護時間を経過したら、上記第２のＩＰインターフェースのＩＰアドレスにのみＩＰパケットを送信する
ことを特徴とするＩＰ−ＰＢＸシステムの二重化切替方式。
【請求項２】
請求項１記載のＩＰ−ＰＢＸシステムの二重化切替方式において、
上記本体ユニットは、上記第１の遠隔ユニットに二重化切替命令を送信し、
上記第１の遠隔ユニットは、上記二重化切替命令を受信すると、二重化切替前の現用ＩＰインターフェースである第１のＩＰインターフェースの受信音声データメモリからの現読み出し音声データの情報を、二重化切替後に現用ＩＰインターフェースになる第２のＩＰインターフェースに転送し、その情報をもとに、上記第２のＩＰインターフェースの受信音声データメモリからの読み出し音声データの位相を上記第１のＩＰインターフェースに同期させる
ことを特徴とするＩＰ−ＰＢＸシステムの二重化切替方式。
【発明の詳細な説明】
【技術分野】
【０００１】
本発明は、構内ＶｏＩＰ（Voice over Internet Protocol）通信システムを構築するＩＰ−ＰＢＸ（Internet Protocol-Private Branch eXchange）システムにおいて、保守性および信頼性の向上のためにＩＰインターフェースを二重化構成にした遠隔ユニットのＡＣＴ（現用）遠隔ＩＰインターフェースを切り替えるＩＰ−ＰＢＸシステムの二重化切替方式に関する。
【背景技術】
【０００２】
構内ＶｏＩＰ通信システムを構築するＩＰ−ＰＢＸシステムは、例えば、ＩＰ−ＰＢＸ本体ユニットと、複数のＩＰ−ＰＢＸ遠隔ユニット（ゲートウェイ）とを、構内ＩＰ網（ＬＡＮ）に接続した構成である。
【０００３】
このようなＩＰ−ＰＢＸシステムには、保守性および信頼性の向上のために、本体ユニットにＣＰＵおよびＩＰインターフェース（本体ＩＰインターフェース）を２組設けるとともに、それぞれの遠隔ユニットにＩＰインターフェース（遠隔ＩＰインターフェース）を２つ設けて二重化構成とし、本体ユニットおよびそれぞれの遠隔ユニットにおいて、それまでＡＴＣ（現用）側であったＩＰインターフェースをＳＢＹ（予備）側に変更し、それまでＳＢＹ側であったＩＰインターフェースをＡＣＴ側に変更する二重化切替（ＡＴＣ切替）を可能としたものがある。
【０００４】
上記二重化構成の遠隔ユニットにおいて、ＰＢＸ本体からのＡＣＴ切替命令を受信してなされる遠隔ＩＰインターフェースのＡＣＴ切替においては、ＩＰパケット送信側については、旧ＡＣＴ側（切替によってＡＣＴからＳＢＹになる側）の遠隔ＩＰインターフェースが最後に送信した音声データ（シーケンス番号）のＩＰパケットの次の音声データ（シーケンス番号）のＩＰパケットを、新ＡＣＴ側（ＡＣＴ切替によってＳＢＹからＡＣＴになった側）の遠隔ＩＰインターフェースが最初に送信するようにＡＣＴ切替がなされ、送信音声データについての同期切替がサポートされている。
【０００５】
しかし、上記ＡＣＴ切替がなされる遠隔ＩＰインターフェースのＩＰパケット受信側については、受信音声データについての同期切替はサポートされていない。この理由は、ネットワーク（ＬＡＮ）上で伝送されるＩＰパケットは遅延や揺らぎが不特定のために、同期切替が困難なことによる。
【０００６】
図１０は従来のＩＰ−ＰＢＸシステムにおいてＡＣＴ切替が発生する遠隔ユニットの通信相手であるＡＣＴ切替が発生しない遠隔ユニットのＩＰパケット送信手順を説明する図である。また、図１１は従来のＩＰ−ＰＢＸシステムにおいてＡＣＴ切替が発生する遠隔ユニットのＩＰパケット受信手順を説明する図であり、図１０と同様のものには同じ符号を付してある。
【０００７】
図１０に示すように、本体ユニットの本体ＩＰインターフェースが、ＡＣＴ切替が発生する第１の遠隔ユニットの通信相手である第２の遠隔ユニットに接続先切替命令を送ると、この接続先切替命令を受信した第２の遠隔ユニットのＡＣＴ遠隔ＩＰインターフェースは、ＩＰパケットを送信する相手ＩＰアドレスを、第１の遠隔ユニットの旧ＡＣＴ側（ＡＣＴ切替によってＡＣＴからＳＢＹになる側）の遠隔ＩＰインターフェースから、新ＡＣＴ側（ＡＣＴ切替によってＳＢＹからＡＣＴになる側）の遠隔ＩＰインターフェースに変更する。
【０００８】
図１０では、第２の遠隔ユニットは、音声データ（シーケンス番号）１，２のＩＰパケットを上記旧ＡＣＴ側の遠隔ＩＰインターフェースのＩＰアドレスａに順次送信し、音声データ（シーケンス番号）２のＩＰパケットを送信しているときに、接続先切替命令を受信すると、音声データ（シーケンス番号）３，４のＩＰパケットについては、相手ＩＰアドレスを上記新ＡＣＴ側の遠隔ＩＰインターフェースのＩＰアドレスｂに変更して、順次送信する。
【０００９】
図１１に示すように、本体ユニットの本体ＩＰインターフェースが、第１の遠隔ユニットにＡＴＣ切替命令を送ると、このＡＴＣ切替命令を受信した第１の遠隔ユニットは、上記旧ＡＣＴ側の遠隔ＩＰインターフェースから上記新ＡＣＴ側の遠隔ＩＰインターフェースにＡＣＴ切替をする。
【００１０】
図１１では、第１の遠隔ユニットは、第２の遠隔ユニットから送信された音声データ（シーケンス番号）１，２のＩＰパケット（相手ＩＰアドレスａ）を、上記旧ＡＣＴ側の遠隔ＩＰインターフェースで受信し、上記通信相手の遠隔ユニットから送信された音声データ（シーケンス番号）３，４のＩＰパケット（相手ＩＰアドレスｂ）を、上記新ＡＣＴ側の遠隔ＩＰインターフェースで受信する。そして、音声データ１，２を上記旧ＡＣＴ側の遠隔ＩＰインターフェースから出力した後、ＡＴＣ切替命令を受信すると、上記旧ＡＣＴ側の遠隔ＩＰインターフェースから上記新ＡＣＴ側の遠隔ＩＰインターフェースにＡＣＴ切替をして、上記新ＡＣＴ側の遠隔ＩＰインターフェースから音声データ３，４を出力する。
【００１１】
【非特許文献１】「ネットワーク大事典」日経ＢＰ社、２００４年３月３１日、ｐ９４，９５
【発明の開示】
【発明が解決しようとする課題】
【００１２】
しかしながら、上記従来のＩＰ−ＰＢＸシステムにおいては、ＡＣＴ切替時に遠隔ＩＰインターフェースのＩＰパケット受信側では音声データについて同期切替がされないため、ネットワーク上で不特定に発生するパケット伝送の遅延や揺らぎによってＩＰパケットの受信タイミングが変動して、パケット受信タイミングとＡＣＴ切替命令の受信タイミングがずれると、ＡＴＣ切替時に、旧ＡＴＣ側において受信されたＩＰパケット（例えば図１１の音声データ（シーケンス番号）２のＩＰパケット）が破棄され、あるいはＡＴＣ切替時の新旧ＡＣＴ側の出力音声データの同期のずれにより、音声データが紛失することがあり、この音声データの紛失によって通話の瞬断が発生する。
【００１３】
本発明は、このような従来の課題を解決するためになされたものであり、二重化切替時に発生する音声データの紛失を防止することができ、無瞬断切替が可能なＩＰ−ＰＢＸシステムの二重化切替方式を提供することを目的とするものである。
【課題を解決するための手段】
【００１４】
本発明のＩＰ−ＰＢＸシステムの二重化切替方式は、
ＩＰインターフェースを二重化構成にしたＩＰ−ＰＢＸの第１の遠隔ユニットと、上記第１の遠隔ユニットの通信相手となるＩＰ−ＰＢＸの第２の遠隔ユニットと、上記第１および第２の遠隔ユニットを制御するＩＰ−ＰＢＸの本体ユニットとをＬＡＮで接続したＩＰ−ＰＢＸシステムの上記第１の遠隔ユニットの現用ＩＰインターフェースを切り替えるＩＰ−ＰＢＸシステムの二重化切替方式において、
上記本体ユニットは、上記第１の遠隔ユニットの二重化切替をするときに、上記第１の遠隔ユニットと通信中の上記第２の遠隔ユニットに接続先切替命令を送信し、
上記第２の遠隔ユニットは、上記接続先切替命令を受信すると、あらかじめ設定された切替保護時間内は、上記第１の遠隔ユニットの二重化切替前の現用ＩＰインターフェースである第１のＩＰインターフェースと二重化切替後に現用ＩＰインターフェースになる第２のＩＰインターフェースの両ＩＰアドレスにＩＰパケットを並送し、上記切替保護時間を経過したら、上記第２のＩＰインターフェースのＩＰアドレスにのみＩＰパケットを送信し、
上記本体ユニットは、上記第１の遠隔ユニットに二重化切替命令を送信し、
上記第１の遠隔ユニットは、上記二重化切替命令を受信すると、上記第１のＩＰインターフェースの受信音声データメモリからの現読み出し音声データの情報を、上記第２のＩＰインターフェースに転送し、その情報をもとに、上記第２のＩＰインターフェースの受信音声データメモリからの読み出し音声データの位相を上記第１のＩＰインターフェースに同期させる
ことを特徴とする。
【発明の効果】
【００１５】
本発明によれば、二重化切替時に発生する音声データの紛失を防止することができ、無瞬断切替が可能となるので、保守性および信頼性の向上のための定期切替が可能になるという効果がある。
【発明を実施するための最良の形態】
【００１６】
図１は本発明の実施の形態のＩＰ−ＰＢＸシステムの構成図である。この図１の実施の形態のＩＰ−ＰＢＸシステムは、ＩＰ−ＰＢＸ本体ユニット１０と、複数のＩＰ−ＰＢＸ遠隔ユニット（ゲートウェイ）２０（２０Ａ，２０Ｂ）と、構内ＩＰ網（ＬＡＮ）３０とを備えて構成されており、構内ＶｏＩＰ通信システムを構築している。
【００１７】
本体ユニット１０は、２つのＣＰＵ１１＃０，１１＃１と、２つの本体ＩＰインターフェース１２＃０，１２＃１とを備えている。
【００１８】
ＣＰＵ１１（１１＃０，１１＃１）は、この本体ユニット１０内の制御を司るブロックである。
【００１９】
また、本体ＩＰインターフェース１２（１２＃０，１２＃１）は、構内ＩＰ網３０に接続されており、ＣＰＵ１１からの二重化切替（ＡＣＴ切替）命令等の制御命令を遠隔ユニット２０に送信するともに、遠隔ユニット２０から送信された制御情報（それらの遠隔ユニット２０に収容された端末のオンフック／オフフック等）を受信し、それらの制御情報を他の遠隔ユニット２０に転送する機能を有するブロックである。
【００２０】
遠隔ユニット２０Ａは、回線インターフェース２１Ａと、２つの遠隔ＩＰインターフェース２２Ａ＃０，２２Ａ＃１とを備えている。同様に、遠隔ユニット２０Ｂは、回線インターフェース２１Ｂと、２つの遠隔ＩＰインターフェース２２Ｂ＃０，２２Ｂ＃１とを備えている。遠隔ユニット２０Ａと２０Ｂは、同様の構成である。
【００２１】
回線インターフェース２１Ａは、複数の有線のアナログ端末（電話）２３Ａを収容し（これらの端末２３Ａが接続された回線が接続され）、時分割多重ハイウェイによって遠隔ＩＰインターフェース２２Ａに接続されており、これらの端末２３Ａからの音声データを時分割多重して遠隔ＩＰインターフェース２２Ａに転送するとともに、遠隔ＩＰインターフェース２２Ａからの時分割多重された音声データを多重分離してそれぞれの端末２３Ａに転送する機能を有する。同様に、回線インターフェース２１Ｂは、複数の有線のアナログ端末（電話）２３Ｂを収容し（端末２３Ｂが接続された回線が接続され）、時分割多重ハイウェイによって遠隔ＩＰインターフェース２２Ｂに接続されており、これらの端末２３Ｂからの音声データを時分割多重して遠隔ＩＰインターフェース２２Ｂに転送するとともに、遠隔ＩＰインターフェース２２Ｂからの時分割多重された音声データを多重分離してそれぞれの端末２３Ｂに転送する機能を有する。
【００２２】
遠隔ＩＰインターフェース２２Ａ（２２Ａ＃０，２２Ａ＃１）は、本体ＩＰインターフェース１２から転送された制御情報および制御命令をもとに、回線インターフェース２１Ａに収容されているいずれか２つの端末２３Ａの間、またはいずれか１つの端末２３Ａと構内ＩＰ網３０を介した他の端末（例えば端末２３Ｂ）との間で送受される音声データを交換する。同様に、遠隔ＩＰインターフェース２２Ｂ（２２Ｂ＃０，２２Ｂ＃１）は、本体ＩＰインターフェース１２から転送された制御情報および制御命令をもとに、回線インターフェース２１Ｂに収容されているいずれか２つの端末２３Ｂの間、またはいずれか１つの端末２３Ｂと構内ＩＰ網３０を介した他の端末（例えば端末２３Ａ）との間で送受される音声データを交換する。
【００２３】
遠隔ＩＰインターフェース２２（２２Ａ，２２Ｂ）は、構内ＩＰ網３０越えの通信時は、他の端末を収容している他の遠隔ユニット２等に、自ユニットの回線インターフェース２１（２１Ａ，２１Ｂ）から転送された音声データをＩＰパケット化して送信するとともに、上記他の遠隔ユニット２０等から送信されたＩＰパケットを受信して、その受信ＩＰパケットに含まれている音声データを自ユニットの回線インターフェース２１に転送する。
【００２４】
構内ＩＰ網３０には、本体ＩＰインターフェース１２および遠隔ＩＰインターフェース２２が接続されているとともに、広域ＩＰ網（ＷＡＮ）も接続されている。
【００２５】
このように、本実施の形態のＩＰ−ＰＢＸシステムの本体ユニット１０は、保守時等に切替可能な複数のＣＰＵ１１＃０，１１＃１および複数の本体ＩＰインターフェース１２＃０，１２＃１を備えており、遠隔ユニット２０Ａは、保守時等に切替可能な複数の遠隔ＩＰインターフェース２２Ａ＃０，２２Ａ＃１を備えており、遠隔ユニット２０Ｂも、保守時等に切替可能な複数の遠隔ＩＰインターフェース２２Ｂ＃０，２２Ｂ＃１を備えている。
【００２６】
つまり、本実施の形態のＩＰ−ＰＢＸシステムでは、本体ユニット１０および遠隔ユニット２０は、複数のブロックを収容しているため、本体ユニット１０のＣＰＵ１１および本体ＩＰインターフェース１２、ならびに遠隔ユニット２０の遠隔ＩＰインターフェース２２について、保守性および信頼性の向上を考慮して、保守時等に切替可能な二重化構成になっている。
【００２７】
本体ユニット１０では、ＣＰＵ１２＃０および本体ＩＰインターフェース１２＃０と、ＣＰＵ１１＃１および本体ＩＰインターフェース１２＃１の内、一方をＡＣＴ、他方をＳＢＴとして使用し、ＡＣＴとなる側を切替可能である。また、遠隔ユニット２０Ａでは、遠隔ＩＰインターフェース２２Ａ＃０と２２Ａ＃１の内、一方をＡＣＴ遠隔ＩＰインターフェース、他方をＳＢＴ遠隔ＩＰインターフェースとして使用し、ＡＣＴ側の本体ＩＰインターフェース１２からのＡＣＴ切替命令に従って、ＡＣＴとなる側の遠隔ＩＰインターフェース２２Ａを切替可能である。同様に、遠隔ユニット２０Ｂでは、遠隔ＩＰインターフェース２２Ｂ＃０と２２Ｂ＃１の内、一方をＡＣＴ遠隔ＩＰインターフェース、他方をＳＢＴ遠隔ＩＰインターフェースとして使用し、ＡＣＴ側の本体ＩＰインターフェース１２からのＡＣＴ切替命令に従って、ＡＣＴとなる側の遠隔ＩＰインターフェース２２Ｂを切替可能である。
【００２８】
本実施の形態は、音声データの伝達についての二重化切替時の処理に特徴があり、制御情報および制御命令の伝達についての二重化切替時の処理は、従来のＩＰ−ＰＢＸシステムと同様である。そのため、音声データの伝達についての二重化切替時の処理を以下に説明し、制御情報および制御命令の伝達についての二重化切替時の処理の説明は省略する。
【００２９】
図２は遠隔ＩＰインターフェース２２＃０（２２Ａ＃０，２２Ｂ＃０）および２２＃１（２２Ａ＃１，２２Ｂ＃１）内の音声データ処理ブロックの構成図である。
【００３０】
図２において、遠隔ＩＰインターフェース２２＃０は、ＩＰパケット送信部２２１＃０と、ＩＰパケット受信部２２２＃０と、音声圧縮部２２３＃０と、音声伸張部２２４＃０と、時分割スイッチ２２５＃０と、位相吸収メモリ（受信音声データメモリ）２２６＃０と、揺らぎ調整読み出しカウンタ２２７＃０と、シフトレジスタ２２８＃０と、他系交絡部２２９＃０とを有する。
【００３１】
また、遠隔ＩＰインターフェース２２＃１は、ＩＰパケット送信部２２１＃１と、ＩＰパケット受信部２２２＃１と、音声圧縮部２２３＃１と、音声伸張部２２４＃１と、時分割スイッチ２２５＃１と、位相吸収メモリ（受信音声データメモリ）２２６＃１と、揺らぎ調整読み出しカウンタ２２７＃１と、シフトレジスタ２２８＃１と、他系交絡部２２９＃１とを有する。
【００３２】
図３は遠隔ＩＰインターフェース２２＃０（２２Ａ＃０，２２Ｂ＃０）および２２＃１（２２Ａ＃１，２２Ｂ＃１）内の音声データ揺らぎ位相調整ブロックの構成図であり、図２と同様のものには同じ符号を付してある。
【００３３】
図３において、位相吸収メモリ２２６＃０は、チャネルｃｈ０からｃｈｎまでのｎ＋１の受信チャネル（時分割スイッチ２２５＃０の入力チャネル）の音声データをそれぞれ記憶するｎ＋１のメモリエリアを備えている。同様に、位相吸収メモリ２２６＃１は、チャネルｃｈ０からｃｈｎまでのｎ＋１の受信チャネル（時分割スイッチ２２５＃１の入力チャネル）の音声データをそれぞれ記憶するｎ＋１のメモリエリアを備えている。
【００３４】
また、図３において、揺らぎ調整読み出しカウンタ２２７＃０は、上記ｎ＋１の受信チャネルの読み出しアドレスをそれぞれ担当するｎ＋１のカウンタを備えている。同様に、揺らぎ調整読み出しカウンタ２２７＃１は、上記ｎ＋１の受信チャネルの読み出しアドレスをそれぞれ担当するｎ＋１のカウンタを備えている。
【００３５】
また、図３において、他系交絡部２２９＃０は、タイミング生成部（ＣＬＫ）２２９１＃０と、ロード値転送部２２９２＃０とを備えている。同様に、他系交絡部２２９＃１は、タイミング生成部（ＣＬＫ）２２９１＃１と、ロード値転送部２２９２＃１とを備えている。
【００３６】
遠隔ＩＰインターフェース２２＃０と２２＃１は、同様の構成である。従って、ＩＰパケット送信部２２１＃０と２２１＃１、ＩＰパケット受信部２２２＃０と２２２＃１、音声圧縮部２２３＃０と２２３＃１、音声伸張部２２４＃０と２２４＃１、時分割スイッチ２２５＃０と２２５＃１、位相吸収メモリ２２６＃０と２２６＃１、揺らぎ調整読み出しカウンタ２２７＃０と２２７＃１、シフトレジスタ２２８＃０と２２８＃１、他系交絡部２２９＃０と２２９＃１、タイミング生成部２２９１＃０と２２９１＃１、およびロード値転送部２２９２＃０と２２９２＃１は、それぞれ同様の構成である。
【００３７】
ＩＰパケット送信部２２１（２２１＃０，２２１＃１）は、音声圧縮部２２３（２２３＃０，２２３＃１）からの圧縮された音声データに送信先のＩＰアドレス（例えばＩＰパケット送信部２２１Ｂ＃０においては遠隔ＩＰインターフェース２２Ａ＃０のＩＰアドレス）を含むヘッダを付してＩＰパケット化し、そのＩＰパケットを構内ＩＰ網３０に送出する。
【００３８】
２つのＩＰパケット送信部２２１＃０の内のＡＣＴ側は、通信中の他の遠隔ＩＰユニット等においてＡＣＴ切替が発生し、本体ＩＰインターフェース１２からの接続先切替命令を自ユニットが受信すると、切替保護時間の間、切替前相手ＩＰアドレスと切替後相手ＩＰアドレスの両方に同じＩＰパケットをそれぞれ送信し、上記切替保護時間を経過してから切替前相手ＩＰアドレスにＩＰパケットを送信するのを停止して、切替後相手ＩＰアドレスにのみＩＰパケットを送信する。
【００３９】
ＩＰパケット受信部２２２（２２２＃０，２２２＃１）は、構内ＩＰ網３０から自インターフェース宛のＩＰパケットを受信し、そのＩＰパケットに含まれる音声データを位相吸収メモリ２２６（２２６＃０，２２６＃１）に転送する。
【００４０】
音声圧縮部２２３（２２３＃０，２２３＃１）は、時分割スイッチ２２５（２２５＃０，２２５＃１）から入力された音声データを圧縮して、ＩＰパケット送信部２２１に出力する。
【００４１】
音声伸張部２２４（２２４＃０，２２４＃１）は、シフトレジスタ２２８（２２８＃０，２２８＃１）から入力された音声データを伸長して、時分割スイッチ２２５（２２５＃０，２２５＃１）に出力する。
【００４２】
なお、音声圧縮部２２３および音声伸張部２２４は、ＩＰ通信帯域削減のために設けられたものであり、音声圧縮部２２３および音声伸張部２２４を設けずに音声データ処理ブロックを構成することも可能である。
【００４３】
時分割スイッチ２２５（２２５＃０，２２５＃１）は、自ユニットの端末２３（例えば２３Ａ）から発信され、回線インターフェース２１において時分割多重されて、入力時分割多重ハイウェイによって入力された音声データの内、構内ＩＰ網３０越えで送信する音声データを分離して音声圧縮部２２３（２２３＃０，２２３＃１）に出力する機能を有する。また、時分割スイッチ２２５は、チャネルｃｈ０からｃｈｎまでのｎ＋１チャネル分のタイムスロットの音声データをそれぞれ記憶するｎ＋１のメモリエリアを備えており、上記入力時分割多重ハイウェイによって入力された音声データの内の自ユニットの他の端末２３（例えば２３Ｂ）に転送する音声データおよび音声伸張部２２４（２２４＃０，２２４＃１）から入力された音声データ（構内ＩＰ網３０越えで受信した音声データ）を、割り当てた入力チャネルのメモリエリアに書き込み、これらの音声データをスイッチングして（順序を入れ換えて）読み出すことによって、割り当てた出力チャネルのタイムスロットに時分割多重で読み出し、出力時分割多重ハイウェイによって回線インターフェース２１に出力する機能を有する。
【００４４】
位相吸収メモリ２２６（２２６＃０、２２６＃１）は、受信したＩＰパケットの揺らぎを吸収するためのメモリである。位相吸収メモリ２２６のそれぞれの受信チャネルのメモリエリア（図３参照）には、ＩＰパケット受信部２２２（２２２＃０，２２２＃１）が受信したそのチャネルのＩＰパケットの音声データ（受信音声データ）が複数シーケンス分（複数パケット分）書き込まれる。
【００４５】
受信ＩＰパケットの音声データを書き込む位相吸収メモリ２２６のアドレスを、その受信ＩＰパケットのシーケンス番号（シーケンスＮｏ）と上位アドレスで一致させておくことにより、２つのＩＰパケットの受信タイミングとシーケンス番号とが逆転しても、カウンタロード値（カウント値）をインクリメントして位相吸収メモリ２２６の読み出しアドレスを生成する読み出しカウンタ２２７（２２７＃０，２２７＃１）によって、音声データをシーケンス番号順に読み出すことができる。
【００４６】
揺らぎ調整読み出しカウンタ２２７（２２７＃０，２２７＃１）のそれぞれの受信チャネルを担当するカウンタは、タイミング生成部（ＣＬＫ）２２９１（２２９１＃０，２２９１＃１）から入力されるタイミング信号に従って動作し、そのカウンタロード値をそのチャネルのメモリエリアの読み出しアドレスとして位相吸収メモリ２２６（２２６＃０、２２６＃１）に出力する。この揺らぎ調整読み出しカウンタ２２７は、位相吸収メモリ２２６からｎ＋１チャネル分の音声データを時分割に読み出して（それぞれのチャネルの音声データはシーケンス番号順に読み出される）、シフトレジスタ２２８（２２８＃０、２２８＃１）に送出させる。
【００４７】
シフトレジスタ２２８（２２８＃０、２２８＃１）は、位相吸収メモリ２２６からｎ＋１チャネル分の音声データを時分割多重して、音声伸張部２２４（２２４＃０，２２４＃１）に出力する。
【００４８】
他系交絡部２２９（２２９＃０，２２９＃１）において、タイミング生成部（ＣＬＫ）２２９１（２２９１＃０，２２９１＃１）は、自遠隔ＩＰインターフェース２２（２２＃０，２２＃１）で使用するクロック信号、フレーム信号、読み出しカウンタ２２７の動作を開始または停止させる信号、ロード値転送部２２９１を動作させるための信号等を含むタイミング信号を生成する。このタイミング生成部２２９１（例えば２２９１＃０）は、他系のタイミング生成部２２９１（例えば２２９１＃１）との交絡を有し、ＳＢＹ側のタイミング生成部２２９１（例えば２２９１＃１）は、ＡＣＴ側のタイミング生成部２２９１（例えば２２９１＃０）と、クロック信号およびフレーム信号の位相を整合（同期）させている。
【００４９】
また、他系交絡部２２９（２２９＃０，２２９＃１）において、ＡＣＴ切替時に、ＳＢＹからＡＣＴになる側の位相吸収メモリ２２６（例えば２２６＃１）の読み出し音声データの位相をＡＣＴからＳＢＹになる側に整合（同期）させるために、ＡＣＴからＳＢＹになる側のロード値転送部２２９２（例えば２２９２＃０）は、自系（ＡＣＴからＳＢＹになる側）の読み出しカウンタ（例えば２２７＃０）のカウンタロード値（＝読み出しアドレス）情報を、他系（ＳＢＹからＡＣＴになる側）のロード値転送部２２９２（例えば２２９２＃１）に転送する。ＳＢＹからＡＣＴになる側のロード値転送部２２９２（例えば２２９２＃１）は、上記伝達されたカウンタロード値を自系（ＳＢＹからＡＣＴになる側）の読み出しカウンタ２２７（例えば２２７＃１）に設定して、ＳＢＹからＡＣＴになる側の位相吸収メモリ２２６（例えば２２６＃１）の読み出しアドレスのオフセットを設定する。
【００５０】
図４はＡＣＴ切替が発生する遠隔ユニット２０（例えば２０Ａ）のＩＰパケット受信側においてのカウンタロード値情報の転送タイミングおよび読み出しデータの位相同期確立タイミングを説明するタイミングチャートである。
【００５１】
図５はＡＣＴ切替が発生する遠隔ユニット２０（例えば２０Ａ）の通信相手であるＡＣＴ切替が発生しない遠隔ユニット２０（例えば２０Ｂ）においてのＩＰパケット送信手順を説明する図であり、図１０と同様のものには同じ符号を付してある。また、図６はＡＣＴ切替が発生する遠隔ユニット２０（例えば２０Ａ）においてのＩＰパケット受信手順を説明する図であり、図５または図１１と同様のものには同じ符号を付してある。
【００５２】
図７はＡＣＴ切替が発生する遠隔ユニット２０（例えば２０Ａ）においてのＩＰパケット送信手順を説明する図であり、図６と同様のものには同じ符号を付してある。また、図８はＡＣＴ切替が発生する遠隔ユニット２０（例えば２０Ａ）の通信相手であるＡＣＴ切替が発生しない遠隔ユニット２０（例えば２０Ｂ）においてのＩＰパケット受信手順を説明する図であり、図７と同様のものには同じ符号を付してある。
【００５３】
図９は本発明の実施の形態のＩＰ−ＰＢＸシステムにおいての遠隔ユニット２０ＡのＡＣＴ切替時のＩＰパケット送受信手順を説明するフローチャートである。
【００５４】
図１から図９までを用いて、本体ユニット１０において、ＣＰＵ１１＃０および本体ＩＰインターフェース１２＃０をＡＣＴ側、ＣＰＵ１１＃１および本体ＩＰインターフェース１２＃１をＳＢＹ側とし、遠隔ユニット２０Ａにおいて、遠隔ＩＰインターフェース２２Ａ＃０をＡＣＴ側、遠隔ＩＰインターフェース２２Ａ＃１をＳＢＹ側とし、遠隔ユニット２０Ｂにおいて、遠隔ＩＰインターフェース２２Ｂ＃０をＡＣＴ側、遠隔ＩＰインターフェース２２Ｂ＃１をＳＢＹ側として、両遠隔ユニット２０Ａと２０Ｂがともにチャネルｃｈ０を使用してＶｏＩＰ通信している場合において、遠隔ユニット２０ＡにＡＣＴ切替が発生し、遠隔ＩＰインターフェース２２Ａ＃０がＡＣＴ側からＳＢＹ側になり、遠隔ＩＰインターフェース２２Ａ＃１がＳＢＹ側からＡＣＴ側になる例について、ＡＣＴ切替時のＩＰパケット送受信手順を説明する。
【００５５】
上記の例では、図４はＡＣＴ切替が発生する遠隔ユニット２０Ａの遠隔ＩＰインターフェース２２Ａ＃０および２２Ａ＃１においてのカウンタロード値転送タイミングおよび読み出しデータ位相同期確立タイミングである。
【００５６】
また、上記の例では、図５は遠隔ユニット２０ＢのＡＣＴ側の遠隔ＩＰインターフェース２２Ｂ＃０においてのＩＰパケット送信手順であり、図６は遠隔ユニット２０Ａの遠隔ＩＰインターフェース２２Ａ＃０および２２Ａ＃１においてのＩＰパケット受信手順であり、図７は遠隔ユニット２０Ａの遠隔ＩＰインターフェース２２Ａ＃０および２２Ａ＃１においてのＩＰパケット送信手順であり、図８は遠隔ユニット２０ＢのＡＣＴ側の遠隔ＩＰインターフェース２２Ｂ＃０においてのＩＰパケット受信手順である。
【００５７】
また、上記の例では、図６および図７の旧ＡＣＴ側遠隔ＩＰインターフェースは、遠隔ＩＰインターフェース２２Ａ＃０であり、新ＡＣＴ側遠隔ＩＰインターフェースは、遠隔ＩＰインターフェース２２Ａ＃１である。
【００５８】
また、上記の例において、図５および図６の切替前相手ＩＰアドレスａは、遠隔ユニット２０Ａの遠隔ＩＰインターフェース２２Ａ＃０のＩＰアドレス、切替後相手ＩＰアドレスｂは、遠隔ユニット２０Ａの遠隔ＩＰインターフェース２２Ａ＃１のＩＰアドレスであり、図７および図８の相手ＩＰアドレスｃは、遠隔ユニット２０Ｂの遠隔ＩＰインターフェース２２Ｂ＃０のＩＰアドレスである。
【００５９】
遠隔ユニット２０ＡにおいてＡＣＴ切替をするにあたり、本体ユニット１０は、まず最初に、そのＡＣＴ本体ＩＰインターフェース１２＃０から、ＡＣＴ切替をする遠隔ユニット２０Ａと通信中である遠隔ユニット２０Ｂに接続先切替命令を送る（図９のステップＳ１）。
【００６０】
ＡＣＴ切替が発生しない遠隔ユニット２０Ｂは、本体ユニット１０からの接続先切替命令を受信すると、接続先切替命令の受信応答を本体ユニット１０に返信する（図９のステップＳ２）。
【００６１】
さらに、遠隔ユニット２０Ｂは、図５に示すように、上記接続先切替命令の受信以前は遠隔ユニット２０ＡにおいてＡＣＴ切替前にＡＣＴ遠隔ＩＰインターフェースであるＡＣＴ遠隔ＩＰインターフェース２２Ａ＃０のＩＰアドレスａにのみＩＰパケットを送信していたが、上記接続先切替命令の受信からあらかじめ設定されている切替保護時間が経過するまでの間は、ＡＣＴ切替前ＩＰアドレスａと、遠隔ユニット２０ＡにおいてＡＣＴ切替後にＡＣＴ遠隔ＩＰインターフェースになる遠隔ＩＰインターフェース２２Ａ＃１のＩＰアドレスｂの両方に、同じＩＰパケットを並送する（図９のステップＳ３）。
【００６２】
そして、遠隔ユニット２０Ｂは、図５に示すように、上記切替保護時間を経過したら、ＡＣＴ切替前ＩＰアドレスａにＩＰパケットを送信するの停止し、ＡＣＴ切替後ＩＰアドレスｂにのみＩＰパケットを送信するようにして、ＩＰパケット送信先を変更する（図９のステップＳ４）。
【００６３】
図５では、ＡＣＴ切替が発生しない遠隔ユニット２０ＢのＡＣＴ遠隔ＩＰインターフェース２２Ｂ＃０のＩＰパケット送信側において、切替前相手ＩＰアドレスａ（遠隔ＩＰインターフェース２２Ａ＃０のＩＰアドレス）に、音声データ（シーケンス番号）１のＩＰパケットを送信後に、本体ユニット１０から接続先切替命令がなされ、その後の切替保護時間の間、上記切替前相手ＩＰアドレスａおよび切替後相手ＩＰアドレスｂ（遠隔ＩＰインターフェース２２Ａ＃１のＩＰアドレス）の両方に、音声データ（シーケンス番号）２，音声データ（シーケンス番号）３，音声データ（シーケンス番号）４のＩＰパケットを順次並送し、ＩＰアドレスｂに音声データ（シーケンス番号）４のＩＰパケットを送信した後、上記切替保護時間が経過したら、それ以降は、切替後相手ＩＰアドレスｂにのみ、音声データ（シーケンス番号）５以降のＩＰパケットを送信する。
【００６４】
上記従来のシステムでは、ＡＣＴ切替が発生しないＩＰパケット送信側は、接続先切替命令を受信したら、すぐにＩＰパケットの送信先を切替前相手ＩＰアドレスａから切替後相手ＩＰアドレスｂに変更していたので（図１０参照）、ネットワーク上においてのＩＰパケット伝送の遅延や揺らぎの影響を受けて、ＩＰパケット受信側においてのパケット受信タイミングとＡＴＣ切替タイミングがずれ、ＡＣＴ切替後の旧ＡＣＴ側で受信パケットが破棄され、ＡＣＴ切替時に通話の瞬断を生じることがあった。
【００６５】
これに対し、本実施の形態では、ＡＣＴ切替が発生しないＩＰパケット送信側は、切替保護時間の間は両ＩＰアドレスａおよびｂにＩＰパケットを並送し、切替保護時間が経過したら、ＩＰパケットの送信先を切替後相手ＩＰアドレスｂに変更する（図５参照）ことにより、ネットワーク上においてのＩＰパケット伝送の遅延や揺らぎに影響されることなく、ＡＣＴ切替が発生した遠隔ユニット２０ＡのＡＣＴ切替前の旧ＡＣＴ側の遠隔ＩＰインターフェース２２Ａ＃０またはＡＣＴ切替後の新ＡＣＴ側の遠隔ＩＰインターフェース２２Ａ＃１に、伝送したＩＰパケットを確実に受信させることが可能となり、ＡＣＴ切替時の受信パケットの廃棄を防止できる。
【００６６】
上記切替保護時間の設定は、本体ユニット１０の本体ＩＰインターフェース１２＃０から変更することが可能であり、上記切替保護時間の設定を適宜変更することにより、ネットワーク上で異なる遅延や揺らぎの影響を回避することが可能となる。
【００６７】
ＡＣＴ切替をする遠隔ユニット２０Ａでは、図６に示すように、旧ＡＣＴ側（切替によってＡＣＴからＳＢＹになる側）の遠隔ＩＰインターフェースである遠隔ＩＰインターフェース２２Ａ＃０において、遠隔ユニット２０Ｂから送信された音声データ（シーケンス番号）１，２，３，４のＩＰパケットが順次受信されるとともに、新ＡＣＴ側（切替によってＳＢＹからＡＣＴになる側）の遠隔ＩＰインターフェースである遠隔ＩＰインターフェース２２Ａ＃１において、遠隔ユニット２０Ｂから送信された音声データ（シーケンス番号）２，３，４，５のＩＰパケットが順次受信される。
【００６８】
そして、遠隔ユニット２０Ａでは、図３に示すように、遠隔ＩＰインターフェース２２Ａ＃０において、受信されたシーケンス番号１，２，３，４のＩＰパケット（ＩＰアドレスａ）の音声データ１，２，３，４は、位相吸収メモリ２２６＃０のチャネルｃｈ０のメモリエリアに順次書き込まれ、遠隔ＩＰインターフェース２２Ａ＃１において、受信されたシーケンス番号１，２，３，４のＩＰパケット（ＩＰアドレスｂ）の音声データ２，３，４，５は、位相吸収メモリ２２６＃１のチャネルｃｈ０のメモリエリアに順次書き込まれる。
【００６９】
本体ユニット１０は、接続先切替命令を送信した遠隔ユニット２０Ｂからの接続先切替命令の受信応答を受信した後に、そのＡＣＴ側の本体ＩＰインターフェース１２＃０から、ＡＣＴ切替をする遠隔ユニット２０Ａに、ＡＣＴ切替命令を送る（図９のステップＳ５）。
【００７０】
遠隔ユニット２０Ａは、本体ユニット１０からのＡＣＴ切替命令を受信すると、ＡＣＴ切替命令の受信応答を本体ユニット１０に返信する（図９のステップＳ６）。
【００７１】
さらに、遠隔ユニット２０Ａは、図４および図６に示すように、上記ＡＣＴ切替命令を受信すると、切替ポイントまでの切替時間において、旧ＡＣＴ側（切替によってＡＣＴからＳＢＹになる側）のロード値転送部２２９２＃０から新ＡＣＴ側（切替によってＳＢＹからＡＣＴになる側）のロード値転送部２２９２＃１に、旧ＡＣＴ側のカウンタロード値情報を転送する（図９のステップＳ７）。
【００７２】
そして、遠隔ユニット２０Ａは、図４および図６に示すように、上記旧ＡＣＴ側のカウンタロード値情報を新ＡＣＴ側の読出カウンタ２２７＃１に読み出しアドレスのオフセットとして設定し、上記切替ポイントにおいて、旧ＡＣＴ側の遠隔ＩＰインターフェース２２Ａ＃０との読み出し音声データの位相同期を確立して、ＡＣＴ遠隔ＩＰインターフェースを、遠隔ＩＰインターフェース２２Ａ＃０から２２Ａ＃１に切り替える（図９のステップＳ８）。このＡＣＴ切替により、それまで旧ＡＣＴ側の位相吸収メモリ２２６＃０から読み出されていた音声データは、新ＡＣＴ側の位相吸収メモリ２２６＃１から読み出されるようになる。
【００７３】
図４に示すように、本体ＩＰインターフェース１２＃０からＡＣＴ切替命令が送信されると、ＡＴＣ切替前後の読み出し音声データの位相を整合（同期）させて無瞬断切替を実現するために、次のフレーム期間（フレーム信号によって区画される期間）であるロード値転送期間において、旧ＡＣＴ側のロード値転送部２２９２＃０から、新ＡＣＴ側のロード値転送部２２９２＃１に、旧ＡＣＴ側のチャネルｃｈ０からｃｈｎまでのそれぞれのチャネルのカウンタロード値情報（＝位相吸収メモリ２２６＃０のそれぞれのチャネルのメモリエリアの現読出シーケンス番号＝チャネルごとの現読出アドレス＝読出カウンタ２２７＃０のそれぞれのチャネルを担当するカウンタのカウンタロード値）が順次転送され、新ＡＣＴ側の読出カウンタ２２７＃１のそれぞれのチャネルを担当するカウンタに読み出しアドレスのオフセットとして順次設定される。
【００７４】
そして、その次のフレーム期間である読出データ位相同期確立期間において、読出カウンタ２２７＃１から出力されるチャネルｃｈ０からｃｈｎまでのそれぞれのチャネルの読み出しアドレスに従って、位相吸収メモリ２２６＃１からシフトレジスタ２２８＃１にそれぞれのチャネルの音声データが読み出され、読み出しデータの位相同期が確立された受信側ＡＣＴ切替がなされる。この読出データ位相同期確立期間においてのそれぞれのチャネルの音声データの読み出しタイミングは、そのチャネルについてのＡＣＴ切替タイミング（＝切替ポイント）となる。
【００７５】
図６では、ＡＣＴ切替をする遠隔ユニット２０Ａの旧ＡＣＴ側遠隔ＩＰインターフェース２２Ａ＃０のＩＰパケット受信側において、音声データ２が位相吸収メモリ２２６＃０のチャネルｃｈ０のメモリエリアから読み出されるフレーム期間中に、本体ユニット１０からＡＣＴ切替命令がなされ、その次のシーケンス番号３の音声データ３が位相吸収メモリ２２６＃０のチャネルｃｈ０のメモリエリアから読み出されるフレーム期間に、旧ＡＣＴ側のロード値転送部２２９２＃０から新ＡＣＴ側のロード値転送部２２９２＃１にチャネルｃｈ０のカウンタロード値情報（シーケンス番号３の音声データ３の読み出しアドレスの情報）の転送がなされて読出カウンタ２２７＃１のチャネルｃｈ０を担当するカウンタに設定され、そのカウンタロード値転送がなされたフレーム期間の次のフレーム期間に、ＡＣＴ遠隔ＩＰインターフェースが遠隔ＩＰインターフェース２０Ａ＃０から２０Ａ＃１に切り替えられ（切替ポイントは、音声データ３と４の読み出しの間）、ＡＣＴ切替がなされたフレーム期間に、上記転送されたカウンタロード値から１つインクリメントされた読み出しアドレスに従って、シーケンス番号４の音声データ４が新ＡＣＴ側の位相吸収メモリ２２６＃１のチャネルｃｈ０のメモリエリアから読み出される。なお、新ＡＣＴ側遠隔ＩＰインターフェース２０Ａ＃１において、切替前の音声データ（シーケンス番号）２のＩＰパケット（ＩＰアドレスｂ）の受信から、上記ＡＣＴ切替命令を受信するまでの時間は、データ蓄積時間である。
【００７６】
上記従来のシステムでは、ＡＣＴ切替をするＩＰパケット受信側は、ＡＣＴ切替命令を受信したら、新旧ＡＣＴ側の音声データの読み出しを同期させずにＡＣＴ切替をしていたので（図１１参照）、ネットワーク上においてのＩＰパケット伝送の遅延や揺らぎの影響を受けて、ＡＴＣ切替タイミングと音声データの読み出しタイミングがずれ、受信パケットの廃棄やＡＴＣ切替時の新旧ＡＣＴ側の読み出し音声データの同期のずれにより、音声データが紛失して、通話の瞬断を生じることがあった。
【００７７】
これに対し、本実施の形態では、ＡＣＴ切替をするＩＰパケット受信側は、ＡＣＴ切替命令を受信したら、次のフレーム期間に旧ＡＣＴ側のカウンタロード値情報を新ＡＣＴ側に転送し、その次のフレーム期間に新旧ＡＴＣ側の読み出し音声データの位相同期を確立してＡＴＣ切替をするので（図４および図６参照）、ネットワーク上においてのＩＰパケット伝送の遅延や揺らぎに影響されることなく、ＡＣＴ切替時に位相同期した音声データの読み出しができ、これによってＡＣＴ切替時の通話の瞬断を防止することができ、無瞬断切替が可能となる。
【００７８】
一方、ＡＣＴ切替が発生する遠隔ユニット２０ＡをＩＰパケット送信側、ＡＣＴ切替が発生しない遠隔ユニット２０ＢをＩＰパケット受信側とする通信については、図７および図８に示すように、遠隔ユニット２０Ａは、本体ユニット１０からのＡＣＴ切替命令を受信してから切替時間（図６参照）を経過した切替ポイント（図６参照）において、ＡＣＴ側を遠隔ＩＰインターフェース２２Ａ＃０から２２Ａ＃１に同期切替する（図９のステップＳ９）。つまり、切替前後の送信ＩＰパケットの音声データ（シーケンス番号）が連続するように、ＡＣＴ切替がなされる。このＡＣＴ切替により、それまで旧ＡＣＴ側のＩＰパケット送信部２２１＃０から送信されていたＩＰパケットは、新ＡＣＴ側のＩＰパケット送信部２２１＃１から送信されるようになる。
【００７９】
図７では、本体ユニット１０からＡＣＴ切替命令がなされてから上記切替時間の間に、ＡＣＴ切替をする遠隔ユニット２０Ａの旧ＡＣＴ側（切替によってＡＣＴからＳＢＹになる側）の遠隔ＩＰインターフェース２２Ａ＃０のＩＰパケット送信側から、音声データ（シーケンス番号）１’，２’のＩＰパケット（相手ＩＰアドレスｃ）が順次送信され、上記切替時間を経過して上記切替ポイントになると、ＡＣＴ遠隔ＩＰインターフェースが遠隔ＩＰインターフェース２０Ａ＃０から２０Ａ＃１に切り替えられ（切替ポイントは、音声データ２’と３’のＩＰパケット送信の間）、旧ＡＣＴ側の遠隔ＩＰインターフェース２２Ａ＃０から最後に送信された音声データ（シーケンス番号）２’の次の音声データ（シーケンス番号）である音声データ（シーケンス番号）３’のＩＰパケット（相手ＩＰアドレスｃ）が、新ＡＣＴ側（ＡＣＴ切替によってＳＢＹからＡＣＴになった側）の遠隔ＩＰインターフェース２０Ａ＃１のＩＰパケット送信側から最初に送信され、その次に音声データ（シーケンス番号）４’のＩＰパケット（相手ＩＰアドレスｃ）が送信される。
【００８０】
図８では、ＡＣＴ切替が発生しない遠隔ユニット２０ＢのＡＣＴ遠隔ＩＰインターフェース２２Ｂ＃０のＩＰパケット受信側において、ＡＣＴ切替前に遠隔ユニット２０Ａの遠隔ＩＰインターフェース２２Ａ＃０から送信された音声データ（シーケンス番号）１’，２’のＩＰパケット、およびＡＣＴ切替後に遠隔ユニット２０Ａの遠隔ＩＰインターフェース２２Ａ＃１から送信された音声データ（シーケンス番号）３’，４’のＩＰパケットが受信される。
【００８１】
以上のように本発明の実施の形態によれば、ＡＴＣ切替時に発生する音声データの瞬断を防止することができ、無瞬断切替が可能となるので、保守性および信頼性の向上のための定期切替が可能になる。
【図面の簡単な説明】
【００８２】
【図１】本発明の実施の形態のＩＰ−ＰＢＸシステムの構成図である。
【図２】本発明の実施の形態のＩＰ−ＰＢＸシステムにおいての遠隔ＩＰインターフェース内の音声データ処理ブロックの構成図である。
【図３】本発明の実施の形態のＩＰ−ＰＢＸシステムにおいての遠隔ＩＰインターフェース内のデータ揺らぎ位相調整ブロックの構成図である。
【図４】本発明の実施の形態のＩＰ−ＰＢＸシステムにおいてＡＣＴ切替が発生した遠隔ユニットのＩＰパケット受信側においてのカウンタロード値情報の転送タイミングおよび読み出しデータの位相同期確立タイミングを説明するタイミングチャートである。
【図５】本発明の実施の形態のＩＰ−ＰＢＸシステムにおいてＡＣＴ切替が発生する遠隔ユニットの通信相手であるＡＣＴ切替が発生しない遠隔ユニットのＩＰパケット送信手順を説明する図である。
【図６】本発明の実施の形態のＩＰ−ＰＢＸシステムにおいてＡＣＴ切替が発生する遠隔ユニットのＩＰパケット受信手順を説明する図である。
【図７】本発明の実施の形態のＩＰ−ＰＢＸシステムにおいてＡＣＴ切替が発生する遠隔ユニットのＩＰパケット送信手順を説明する図である。
【図８】本発明の実施の形態のＩＰ−ＰＢＸシステムにおいてＡＣＴ切替が発生する遠隔ユニットの通信相手であるＡＣＴ切替が発生しない遠隔ユニットのＩＰパケット受信手順を説明する図である。
【図９】本発明の実施の形態のＩＰ−ＰＢＸシステムにおいての遠隔ユニットのＡＣＴ切替時のＩＰパケット送受信手順を説明するフローチャートである。
【図１０】従来のＩＰ−ＰＢＸシステムにおいてＡＣＴ切替が発生する遠隔ユニットの通信相手であるＡＣＴ切替が発生しない遠隔ユニットのＩＰパケット送信手順を説明する図である。
【図１１】従来のＩＰ−ＰＢＸシステムにおいてＡＣＴ切替が発生する遠隔ユニットのＩＰパケット受信手順を説明する図である。
【符号の説明】
【００８３】
１０  ＩＰ−ＰＢＸ本体ユニット
１１＃０，１１＃１  ＣＰＵ
１２＃０，１２＃１  本体ＩＰインターフェース
２０Ａ，２０Ｂ  ＩＰ−ＰＢＸ遠隔ユニット（ゲートウェイ）
２１Ａ，２１Ｂ  回線インターフェース
２２Ａ＃０，２２Ａ＃１，２２Ｂ＃０，２２Ｂ＃１  遠隔ＩＰインターフェース
２３Ａ，２３Ｂ  端末（電話）
２２１  ＩＰパケット送信部
２２２  ＩＰパケット受信部
２２３  音声圧縮部
２２４  音声伸張部
２２５  時分割スイッチ
２２６  位相吸収メモリ
２２７  揺らぎ調整読み出しカウンタ
２２８  シフトレジスタ
２２９  他系交絡部
２２９１  タイミング生成部（ＣＬＫ）
２２９２  ロード値転送部
３０  構内ＩＰ網（ＬＡＮ）
【図１】
2006100900.tif 000003
【図２】
2006100900.tif 000004
【図３】
2006100900.tif 000005
【図４】
2006100900.tif 000006
【図５】
2006100900.tif 000007
【図６】
2006100900.tif 000008
【図７】
2006100900.tif 000009
【図８】
2006100900.tif 000010
【図９】
2006100900.tif 000011
【図１０】
2006100900.tif 000012
【図１１】
2006100900.tif 000013